(57)【特許請求の範囲】
【請求項１】
中間ハウジング部品（３００，４００）及び前記中間ハウジング部品（３００）に接続された上部カバー部品（１１００）を有する電気コネクタ（１０１０）であって、
前記上部カバー部品（１１００）は、開放及び閉鎖されることができ、
第１の上部接続クランプ（２０，１２１）が前記上部カバー部品（１１００）に配置され、
第１の上部コンタクトスプリング（３０，３１）が前記中間ハウジング部品（３００，４００）に配置され、
前記中間ハウジング部品（３００，４００）は、ケーブル（７００）の第１のコア（７１１）を受容するための第１の上部開口（４１１）を有し、
前記上部カバー部品（１１００）は、前記第１の上部接続クランプ（２０，１２１）が導電的に前記第１のコア（７１１）と接触し且つ前記第１の上部コンタクトスプリング（３０，３１）に対して押されるように、前記中間ハウジング部品（３００，４００）の方向へ直線運動で移動することができる電気コネクタ（１０１０）。
【請求項２】
前記上部カバー部品（１１００）は、少なくとも一つの細長いスロット（１１１２）を有し、
前記中間ハウジング部品（３００）は、前記細長いスロット（１１１２）内で案内される少なくとも一つの旋回ピン（１１１１）を有する、
請求項１に記載の電気コネクタ（１０１０）。
【請求項３】
前記第１の上部接続クランプ（２０，１２１）は、前記上部カバー部品（１１００）の前記直線運動によって前記第１のコア（７１１）を切断することが意図されるブレード部（２２）を有する、
請求項１又は２に記載の電気コネクタ（１０１０）。
【請求項４】
前記第１の上部コンタクトスプリング（３０，３１）は、前記中間ハウジング部品（３００，４００）に配置された回路基板（６００）と導電接続状態にある、
請求項１〜３のいずれか一項に記載の電気コネクタ（１０１０）。
【請求項５】
前記中間ハウジング部品（３００，４００）は、電気絶縁要素（４００）を有し、
前記第１の上部開口（４１１）は、前記絶縁要素（４００）に作られ、
前記第１の上部コンタクトスプリング（３０，３１）は、前記絶縁要素（４００）に配置される、
請求項１〜４のいずれか一項に記載の電気コネクタ（１０１０）。
【請求項６】
第２の上部接続クランプ（２０，１２２）が前記上部カバー部品（１１００）に配置され、
第２の上部コンタクトスプリング（３０，３２）が前記中間ハウジング部品（３００，４００）に配置され、
前記中間ハウジング部品（３００，４００）は、ケーブル（７００）の第２のコア（７１２）を受容するための第２の上部開口（４２１）を有し、
前記コネクタ（１０１０）は、前記第２の上部接続クランプ（２０，１２２）の前記上部カバー部品（１１００）が直線運動すると、前記第２のコア（７１２）は、前記第２の上部コンタクトスプリング（３０，３２）と導電的に接触され且つ前記第２の上部コンタクトスプリング（３０，３２）に対して押し付けられるように作られる、
請求項１〜５のいずれか一項に記載の電気コネクタ（１０１０）。
【請求項７】
前記コネクタ（１０１０）は、前記中間ハウジング部品（３００，４００）に接続され且つ開放及び閉鎖される下部カバー部品（１２００）を有し、
第１の下部接続クランプ（２０，２２４）が前記下部カバー部品（１２００）に配置され、
第１の下部コンタクトスプリング（３０，３８）が、前記中間ハウジング部品（３００，４００）に配置され、
前記中間ハウジング部品（３００，４００）は、ケーブル（７００）の第３のコア（７１８）を受容するための第１の下部開口（４４１）を有し、
前記下部カバー部品（１２００）は、前記第３のコア（７１８）の前記第１の下部接続クランプ（２０，２２４）が前記第１の下部コンタクトスプリング（３０，３８）と導電的に接触され且つ前記第１の下部コンタクトスプリング（３０，３８）に対して押し付けられるように前記中間ハウジング部品（３００，４００）の方向に直線運動で移動することができる、
請求項１〜６のいずれか一項に記載の電気コネクタ（１０１０）。
【請求項８】
前記上部カバー部品（１１００）と前記下部カバー部品（１２００）は、互いに対して反対方向への旋回によって閉鎖することができる、
請求項７に記載の電気コネクタ（１０１０）。
【請求項９】
前記上部カバー部品（１１００）と前記下部カバー部品（１２００）は、前記中間ハウジング部品（３００，４００）の方向へ互いに反対方向への直線運動で移動することができる、
請求項７又は８に記載の電気コネクタ（１０１０）。
【請求項１０】
前記上部カバー部品（１１００）と前記下部カバー部品（１２００）は、インターロックすることができる、
請求項７〜９のいずれか一項に記載の電気コネクタ（１０１０）。
【請求項１１】
前記中間ハウジング部品（３００）は、ノブ（１３２０）を有し、
前記上部カバー部品（１１００）と前記下部カバー部品（１２００）は、前記ノブ（１３２０）でクランプされる、
請求項７〜１０のいずれか一項に記載の電気コネクタ（１０１０）。
【請求項１２】
前記下部カバー部品（１２００）は、少なくとも一つの細長いスロット（１２１２）を有し、
前記中間ハウジング部品（３００）は、前記細長いスロット（１２１２）内で案内される少なくとも一つの旋回ピン（１２１１）を有する、
請求項７〜１１のいずれか一項に記載の電気コネクタ（１０１０）。
【発明の詳細な説明】
【技術分野】
【０００１】
本発明は、特許請求の範囲の請求項１に係る電気コネクタに関する。
【背景技術】
【０００２】
電気コネクタは、種々の設計において従来の技術から知られている。電気データ信号を伝送するための電気コネクタを実施することは公知である。対応するコネクタは、例えば、ＤＥ１０２００６０３９７９９Ｂ３に記述されている。
【０００３】
高データ速度で且つ高周波でデータ伝送するために設けられた電気コネクタは、望ましい信号の統一性を確保するために高精度で生産及び製造されなければならないことは周知となっている。不適切に設計されるコネクタや不十分な精度で製造されるコネクタの場合、高信号周波数でクロストークや反射のような影響が信号品質の悪化をもたらす可能性がある。多くの公知のコネクタでは、求められた製造精度が高価で且つ不満足な信頼性で達成されるに過ぎない。
【発明の概要】
【発明が解決しようとする課題】
【０００４】
本発明の一目的は、電気コネクタを提供することである。この目的は、請求項１の特徴を有する電気コネクタによって達成される。可能な展開は、従属の請求項において指定されている。
【課題を解決するための手段】
【０００５】
電気コネクタは、中間ハウジング部品と前記中間ハウジング部品に接続される上部カバー部品を備える。上部カバー部品は、開放及び閉鎖されることができる。上部カバー部品には、第一の上部接続クランプが配置される。中間ハウジング部品には、第１の上部コンタクトスプリングが配置される。中間ハウジング部品は、ケーブルの第１のコアを受容するための第１の上部開口を有する。上部カバー部品は、第１の上部接続クランプが、導電的に第１のコアと接触し、第１の上部コンタクトスプリングに対して押されるように、中間ハウジング部品の方向に直線運動で移動することができる。有利なことに、このコネクタでは、コネクタの上部カバー部品が閉鎖されることに先立って、ケーブルのコアを中間ハウジング部品の第１の上部開口内に導入することができ、それによって、電気コネクタを容易にケーブルに接続することができる。第１の上部接続クランプと第１の上部コンタクトスプリングは、別個の要素として作ることが有利であり、従って、その各機能のために有利に最適化することができる。特に、第１の上部コンタクトスプリングと第１の上部接続クランプが別個に作ることによって、第１の上部接続クランプを短い長さ、従って有利な高周波特性で作ることができる。
【０００６】
電気コネクタの一実施形態では、上部カバー部品は、少なくとも一つの細長いスロットを有する。この場合、中間ハウジング部品は、この細長いスロット内で案内される対応する旋回ピンを有する。それによって、旋回ピンと細長いスロットは、中間ハウジング部品に対する上部カバー部品の回転運動と直線運動を可能とする関節を形成する。回転運動は、上部カバー部品の開放及び閉鎖を可能とする。直線運動は、コネクタの内側に配置されたケーブルのコアが接触されることを可能とする。細長いスロットは、回転運動の旋回点を可変とし、それは、有利なことに、種々の導体断面積への適合を可能とする。直線運動中に、上部カバー部品を中間ハウジング部品の方向へ移動する力は、有利なことに、上部カバー部品の全表面にわたって印加される。中間ハウジング部品は、ハウジングの両側に二つの旋回ピンを有することが好ましい。そして、上部カバー部品は、旋回ピンが案内される二つの細長いスロットを有する。
【０００７】
電気コネクタの一実施形態では、第１の上部接続クランプは、上部カバー部品が直線運動すると第１のコアを切断するために設けられるブレード部を有する。有利なことに、従って、電気コネクタは、最初に、第１のコアを正しい長さに切断することを必要とすることなく、ケーブルの第１のコアに接続することができる。代わりに、電気コネクタの上部カバー部品の直線運動中に、第１のコアは、第１の上部接続クランプのブレード部によって最適な長さに自動的に短くすることができる。それによって、有利なことに、電気コネクタの製造が容易となる。
【０００８】
電気コネクタの一実施形態では、第１の上部コンタクトスプリングは、中間ハウジング部品の内側に配置された回路基板と導電接続状態にある。有利なことに、第１の上部コンタクトスプリングと導電的にケーブルの第１のコアに接続されることができる第１の上部接続クランプは、回路基板とケーブルの第１のコアとの間に導電接続を提供する。
【０００９】
電気コネクタの一実施形態では、中間ハウジング部品は、電気絶縁要素を有する。ここでは、第１の上部開口は、その絶縁要素に作られる。
【００１０】
さらに、第１の上部コンタクトスプリングは、絶縁要素に配置される。有利なことに、絶縁要素は、電気コネクタの導電性の第１の上部コンタクトスプリングと中間ハウジング部品の他の導電性部分との間に電気絶縁を行うことができる。
【００１１】
電気コネクタの一実施形態では、上部カバー部品に、第２の上部接続クランプが配置される。中間ハウジング部品には、第２の上部コンタクトスプリングが配置される。中間ハウジング部品は、ケーブルの第２のコアを受容するための第２の上部開口を有する。コネクタは、上部カバー部品が直線運動すると、第２の上部接続クランプが導電的に第２のコアと接触し、且つ第２の上部接続クランプが第２の上部コンタクトスプリングに対して押されるように作られる。有利なことに、この実施形態では、電気コネクタは、ケーブルの二つのコアに電気的に接触するのに適合する。ケーブルの両コアへのコネクタの締着が、通常の操作中に同時に実行されるのが有利である。
【００１２】
電気コネクタの一実施形態では、後者は、中間ハウジング部品に接続され且つ開放及び閉鎖されることができる下部カバー部品を有する。下部カバー部品には、第１の下部接続クランプが配置される。中間ハウジング部品には、第１の下部コンタクトスプリングが配置される。中間ハウジング部品は、ケーブルの第３のコアを受容するための第１の下部開口を有する。下部カバー部品は、第１の下部接続クランプが導電的に第３のコアに接触し且つ第１の下部コンタクトスプリングに対して押されるように中間ハウジング部品の方向へ直線運動で移動することができる。有利なことに、本実施形態の電気コネクタは、少なくとも二つのコアを有するケーブルと電気的に接触するのに適合する。この場合、少なくとも一つのコアは、上部カバー部品に配置される第１の上部接続クランプを介し電導的に接触され、且つ少なくとも一つのさらなるコアは、第１の下部接続クランプを介して電導的に接触される。有利なことに、このように、コンパクトな物理的寸法を有する電気コネクタを作ることができる。
【００１３】
電気コネクタの一実施形態では、上部カバー部品と下部カバー部品は、互いに対する逆方向の旋回によって閉鎖することができる。有利なことに、このように、電気コネクタは、扱いが容易で且つ直感的である。
【００１４】
電気コネクタの一実施形態では、上部カバー部品と下部カバー部品は、中間ハウジング部品の方向へ互いに反対方向への直線運動で移動することができる。有利なことに、それによって、上部カバー部品と下部カバー部品を同時に中間ハウジング部品の方向へ移動することが可能になる。ここで、上部カバー部品と下部カバー部品へ印加される力が互いに対して反対に向けられるので、中間ハウジング部品を保持する必要はない。何ら特別な工具を使用することなく、上部カバー部品と下部カバー部品を同時に中間ハウジング部品の方向へ移動することが可能になる。
【００１５】
電気コネクタの一実施形態では、上部カバー部品と下部カバー部品は、インターロックすることができる。有利なことに、電気コネクタの上部カバー部品の下部カバー部品とのインターロックは、電気コネクタの意図しない開放を防止する。それによって、電気コネクタに接続されたケーブルからの電気コネクタの意図しない分離が防止される。他の一つの利点は、上部カバー部品が下部カバー部品とのインターロックが、上部カバー部品及び下部カバー部品が電気コネクタの中間ハウジング部品に対してそれらの意図された位置に到達したこと、及び、電気コネクタが配置されるケーブルのコアが電気コネクタを介して確実に接触されたこと、を簡単且つ可視的に電気コネクタのユーザに対して示すことである。
【００１６】
電気コネクタの一実施形態では、金属である又は少なくとも導電性であるように作られることが好ましい中間ハウジング部品は、ノブを備える。ここでは、上部カバー部品と下部カバー部品は、ノブでクランプされることができる。中間ハウジング部品は、ハウジングの両側に二つのノブを有することが好ましい。中間ハウジング部品のノブでの上部カバー部品と下部カバー部品のクランプは、電気コネクタの意図しない開放を防止するので有利である。それによって、電気コネクタに接続されたケーブルからの電気コネクタの意図しない分離が防止される。さらに、ノブは、金属である又は少なくとも導電性であるように作られることが好ましい上部カバー部品と下部カバー部品を電気的に接続することが好ましい。これは、インターロック位置にある上部カバー部品と下部カバー部品が電気コネクタの閉鎖された電気シールドを形成することの利点を含んでいる。
【００１７】
電気コネクタの一実施形態では、下部カバー部品は、少なくとも一つの細長いスロットを有する。この場合、中間ハウジング部品は、その細長いスロットの内側に案内される対応する旋回ピンを有する。それによって、旋回ピンと細長いスロットは、中間ハウジング部品に対する下部カバー部品の回転運動と直線運動を可能とする関節を形成する。回転運動は、下部カバー部品の開放と閉鎖を可能とする。直線運動は、コネクタの内側に配置されるケーブルのコアと接触することを可能とする。細長いスロットは、回転運動の可変旋回点を提供し、有利なことに、種々の導体断面積への適合を可能とする。有利なことに、直線運動中に、中間ハウジング部品の方向へ下部カバー部品を移動する力は、下部カバー部品の全表面にわたって印加される。中間ハウジング部品は、ハウジングの両側に二つの旋回ピンを有することが好ましい。この場合、下部カバー部品は、旋回ピンが案内される二つの細長いスロットを有する。
【図面の簡単な説明】
【００１８】
以降、本発明は、図面を参照してより詳細に説明される。
【００１９】
【図１】電気コネクタの頂部側の斜視図を示す。
【図２】電気コネクタの底部側の斜視図を示す。
【図３】上部カバー部品を含まない電気コネクタの頂部側の斜視図を示す。
【図４】下部カバー部品を含まない電気コネクタの底部側の斜視図を示す。
【図５】コネクタの接続部品と回路基板の斜視図を示す。
【図６】電気コネクタの中間ハウジング部品の図を示す。
【図７】電気コネクタの電気絶縁要素の斜視図を示す。
【図８】電気コネクタの上部カバー部品の斜視図を示す。
【図９】電気コネクタの下部カバー部品の斜視図を示す。
【図１０】電気コネクタの接続クランプの斜視図を示す。
【図１１】開放上部カバー部品と開放下部カバー部品を有する電気コネクタの図を示す。
【図１２】開放されたときの電気コネクタの一部の拡大図を示す。
【図１３】接続されているケーブルを有する電気コネクタの部分的に開放された図を示す。
【図１４】ケーブルの接続されたコアを有する電気コネクタの一部の拡大図を示す。
【図１５】ケーブルの遮蔽部と電気コネクタの中間ハウジング部品との間の導電接続部の拡大図を示す。
【図１６】開放されたときの電気コネクタの他の図を示す。
【図１７】開放されたときの電気コネクタの下部カバー部品の拡大図を示す。
【図１８】開放されたときのさらなるコネクタの図を示す。
【図１９】開放されたときのその他のコネクタの他の図を示す。
【図２０】閉鎖されたときのその他のコネクタの図を示す。
【図２１】インターロックされたときのその他のコネクタの図を示す。
【図２２】閉鎖されたときのその他のコネクタの一部の拡大図を示す。
【図２３】インターロックされたときのその他のコネクタの一部の拡大図である。
【発明を実施するための形態】
【００２０】
図１は、電気コネクタ１０の頂部側１１の斜視図を示す。電気コネクタ１０は、導電接続を確立するために適切な相手コネクタと一体になるように差し込まれるように意図されている。例えば、電気コネクタ１０は、電気データ信号を伝送するために使用することができる。例えば、電気コネクタ１０は、ＲＪ４５コネクタとして作ることができる。例えば、電気コネクタ１０は、ＣＡＴ６Ａ標準に従ってデータを伝送するために設けることができる。
【００２１】
電気コネクタ１０は、差し込み側１３を有する。電気コネクタ１０は、差し込み側１３で適切な相手コネクタと一体になるように差し込まれるように意図される。差し込み側１３とは反対の長手方向端に、電気コネクタ１０は、ケーブル側１４を有する。ケーブル側１４では、電気コネクタ１０は、ケーブルに接続することができる。さらに、電気コネクタ１０は、頂部側１１とは反対側に底部側１２を有する。
【００２２】
電気コネクタ１０は、中間ハウジング部品３００、上部カバー部品１００、及び下部カバー部品２００を有する。上部カバー部品１００は、上部ジョイント１１０を介して中間ハウジング部品３００にヒンジを介して且つ旋回可能に固定される。下部カバー部品２００は、下部ジョイント２１０によって中間ハウジング部品３００にヒンジを介して且つ旋回可能に固定される。上部カバー部品１００は、中間ハウジング部品３００から離れるように向き且つ電気コネクタ１０の頂部側１１の一部を形成する外部側１０１を有する。
【００２３】
さらに、電気コネクタ１０は、電気コネクタ１０の差し込み側１３を形成し且つ中間ハウジング部品３００に接続される接続部品５００を有する。
【００２４】
図２は、電気コネクタ１０の底部側１２の斜視図を示す。下部カバー部品２００の外部側２０１は、電気コネクタ１０の底部側１２の一部を形成する。
【００２５】
電気コネクタ１０の底部側１２に、第１の長手方向端２３１と第２の長手方向端２３２を有する保持スプリング２３０が配置される。保持スプリング２３０の第１の長手方向端２３１は、電気コネクタ１０の接続部品５００に固定される。保持スプリング２３０の第２の長手方向端２３２は、下部カバー部品２００に固定される。保持スプリング２３０は、下部カバー部品２００の外部側２０１の一部の上に延在する。
【００２６】
図１と図２には、上部カバー部品１００が、閉鎖位置１０６に表されており、且つ下部カバー部品２００が、閉鎖位置２０６に表されている。
【００２７】
図３は、電気コネクタ１０の頂部側１１の他の一つの斜視図を示す。ここでは、電気コネクタ１０の上部カバー部品１００と下部カバー部品２００は表されてはいない。
【００２８】
頂部側１１の近くに、電気コネクタ１０の中間ハウジング部品３００は、上部ジョイント１１０の部品を形成する二つのナックルアイ１１２を有する。同様に、電気コネクタ１０の底部側１２の近くに、中間ハウジング部品３００は、下部ジョイント２１０の部品を形成する二つのナックルアイ２１２を有する。
【００２９】
中間ハウジング部品３００のケーブル側１４には、コンタクトアンカー３１０が作られる。中間ハウジング部品３００の他の部分と同様に、コンタクトアンカー３１０は導電性材料、例えば、金属から作られる。
【００３０】
電気コネクタ１０の中間ハウジング部品３００は、二つの電気絶縁要素４０１，４０２を有する。以降、これらの部材は、集合的に電気絶縁要素４００として指定されることがある。電気絶縁要素４００は、電気絶縁材料、例えば、プラスチック材料を有する。電気絶縁要素４００は、またケーブルマネージャとして指定されることもある。図３の図において、中間ハウジング部品３００の頂部側１１に配置される第１の電気絶縁要素４０１を見ることができる。第１の電気絶縁要素４０１の外部側４０３が見えている。
【００３１】
第１の電気絶縁要素４０１は、電気コネクタ１０の差し込み側１３とケーブル側１４との間に延在する長手方向に平行に延在する溝として作られる四つのコアガイドを有する。第１のコアガイド４１０、第２のコアガイド４２０、第３のコアガイド４３０、及び第４のコアガイド４４０は、隣接して配置される。第１のコアガイド４１０は、第１のコアガイド４１０の溝部に対して垂直に向けられた第１のコア開口４１１を有する。電気コネクタ１０のケーブル側１４の方向に、第１のコア開口４１１の前方に、第１の接続クランプポケット４１２が配置される。電気コネクタ１０の差し込み側１３の方向に、第１のコア開口４１１の背後に、第１のブレードポケット４１３が作られる。第１の接続クランプポケット４１２と第１のブレードポケット４１３は、夫々、第１の電気絶縁要素４０１における開口として作られ、それらは、第１の電気絶縁要素４０１の外部側４０３から第１の電気絶縁要素４０１を通って延在する。第２のコアガイド４２０は、第２のコア開口４２１、第２の接続クランプポケット４２２、及び第２のブレードポケット４２３を有する。第３のコアガイド４３０は、第３のコア開口４３１、第３の接続クランプポケット４３２、及び第３のブレードポケット４３３を有する。第４のコアガイド４４０は、第４のコア開口４４１、第４の接続クランプポケット４４２、及び第４のブレードポケット４４３を有する。コア開口４２１，４３１，４４１、接続クランプポケット４２２，４３２，４４２、及びブレードポケット４２３，４３３，４４３は、第１のコア開口４１１、第１の接続クランプポケット４１２、及び第１のブレードポケット４１３と同様に作られる。
【００３２】
図４は、電気コネクタ１０の底部側１２の他の斜視図を示す。図４では、また、上部カバー部品１００と下部カバー部品２００は表されていない。
【００３３】
図４において、電気コネクタ１０の第２の電気絶縁要素品４０２が見えている。第２の電気絶縁要素品４０２は、第１の電気絶縁要素４０１と同一に作られることが好ましい。第２の電気絶縁要素４０２の外部側４０３は、電気コネクタ１０の底部側１２と同じ方向へ向いている。また、第２の電気絶縁要素４０２は、夫々一つのコア開口４１１，４２１，４３１，４４１、第１の接続クランプポケット４１２，４２２，４３２，４４２、及びブレードポケット４１３，４２３，４３３，４４３を備える４つのコアガイド４１０，４２０，４３０，４４０を有する。
【００３４】
図５は、電気コネクタ１０の接続部品５００と回路基板６００の斜視図である。電気コネクタ１０のその他の部品は図５には示されていない。
【００３５】
回路基板６００は、頂部側６０１とその頂部側６０１とは反対側の底部側６０２を有する。夫々、頂部側６０１と底部側６０２では、互いから電気的に絶縁される少なくとも４つの導電性トラックが配置される。回路基板６００は、導電接続部が回路基板６００のトラックと接続部品５００の電気コンタクト要素との間に存在するように接続部品５００に接続される。接続部品５００の電気コンタクト要素は、電気コネクタ１０の差し込み側１３を形成する接続部品５００の長手方向端に配置される。電気コンタクト要素は、電気コネクタ１０が相手コネクタと差し込まれると導電接続部を確立するように意図されている。このように、導電接続部は、相手コネクタの電気コンタクトと回路基板６００の頂部側６０１と底部側６０２に配置されるトラックとの間に存在する。
【００３６】
回路基板６００の頂部側６０１と底部側６０２との間では、回路基板６００は、頂部側６０１に配置されるトラックを底部側６０２に配置されるトラックからシールドするための金属層を有することができる。すると、金属層は、頂部側６０１に及び底部側６０２に配置されるトラックの両方から電気的に絶縁される。しかしながら、金属層は、省略することもできる。
【００３７】
図６は、電気コネクタ１０の中間ハウジング部品３００、接続部品５００、及び回路基板６００のさらなる斜視図を示す。中間ハウジング部品３００は、電気絶縁要素４００なしに表されている。
【００３８】
図６の分解図から、電気コネクタ１０の取付け状態に置ける中間ハウジング部品３００、接続部品５００、及び回路基板６００は、中間ハウジング部品３００のエリアで、回路基板６００が第１の電気絶縁要素４０１と第２の電気絶縁要素４０２との間に配置されるように、一体に接続されることが明白である。
【００３９】
図７は、電気コネクタ１０の第１の電気絶縁要素４０１の斜視図を示す。図７の図において、図３に見える第１の電気絶縁要素４０１の外部側４０３とは反対に位置する第１の電気絶縁要素４０１の内部側４０４を見ることができる。第２の電気絶縁要素４０２の内部側４０４は、類似して作られる。
【００４０】
図７において、第１のブレードポケット４１３、第２のブレードポケット４２３、第３のブレードポケット４３３、及び第４のブレードポケット４４３は、第１の電気絶縁要素４０１の外部側４０３からその内部側４０４へ延在するように見える。さらに、第１のコア開口４１１、第２のコア開口４２１、及び第３のコア開口４３１が見える。
【００４１】
夫々、電気絶縁要素４０１の外部側４０３から内部側４０４に延在する第１の接続クランプポケット４１２、第２の接続クランプポケット４２２、第３の接続クランプポケット４３２、及び第４の接続クランプポケット４４２において、夫々、一つのコンタクトスプリング３０が配置される。第１の接続クランプポケット４１２において、第１のコンタクトスプリング３１が配置される。第２の接続クランプポケット４２２において、第２のコンタクトスプリング３２が配置される。第３の接続クランプポケット４３２において、第３のコンタクトスプリング３３が配置される。第４の接続クランプポケット４４２において、第４のコンタクトスプリング３４が配置される。コンタクトスプリング３０，３１，３２，３３，３４は、夫々、導電性材料、例えば、金属板を有する。コンタクトスプリング３０は、弾性的に変形可能であるように作られる。
【００４２】
図８は、電気コネクタ１０の他の部品を有さない電気コネクタ１０の上部カバー部品１００の斜視図を示す。図１に見られる上部カバー部品１００の外部側１０１とは反対側に位置される上部カバー部品１００の内部側１０２が見えている。
【００４３】
上部カバー部品１００は、上部カバー部品１００のジョイント側１０３が電気コネクタ１０の差し込み側１３の方向に向いていると共に上部カバー部品１００のケーブル側１０４が電気コネクタ１０のケーブル側１４の方向に向いているように、電気コネクタ１０の中間ハウジング部品３００に配置されるように意図される。
【００４４】
上部カバー部品１００のジョイント側１０３に、上部ジョイント１１１の一部を形成する二つの旋回ピン１１１が作られ、それによって、上部カバー部品１００は、中間ハウジング部品３００にヒンジ接続される。
【００４５】
上部カバー部品１００の内部側１０２では、第１の上部接続クランプ１２１、第２の上部接続クランプ１２２、第３の上部接続クランプ１２３、及び第４の上部接続クランプ１２４として設計される４つの相互に同一の接続クランプ２０が配置される。
【００４６】
上部カバー部品１００のケーブル側１０４では、シールドクランプ１３０が内部側１０２に配置される。シールドクランプ１３０は、導電性材料、例えば、金属板を有する。シールドクランプ１３０は、上に二つの内部摩擦スプリング１３１と二つの外部摩擦スプリング１３２を有する。内部摩擦スプリング１３１は、シールドクランプ１３０のジョイント側１０３に向く側に配置される。外部摩擦スプリング１３２は、ケーブル側１０４に向くシールドクランプ１３０の側に配置される。摩擦スプリング１３１，１３２は、内部側１０２から突出し、且つ弾性的に変形可能である。両内部摩擦スプリング１３１間にコンタクトスタッド１３３が作られる。内部摩擦スプリング１３１、外部摩擦スプリング１３２、及びコンタクトスタッド１３３は、全て、導電的に一体に接続される。
【００４７】
図９は、電気コネクタ１０の他の部品が無い電気コネクタ１０の下部カバー部品２００の斜視図を示す。図２に見える下部カバー部品２００の外部側２０１とは反対側に位置される下部カバー部品２００の内部側２０２が見える。
【００４８】
下部カバー部品２００は、ジョイント側２０３とそのジョイント側２０３とは反対のケーブル側２０４を有する。下部カバー部品２００が電気コネクタ１０の中間ハウジング部品３００に接続されると、ジョイント側２０３は、電気コネクタ１０の差し込み側１３の方向に向いていると共に、下部カバー部品２００のケーブル側２０４は、電気コネクタ１０のケーブル側１４の方向へ向いている。
【００４９】
下部カバー部品２００のジョイント側２０３では、下部ジョイント２１０の一部を形成する二つの旋回ピン２１１が作られ、それによって、下部カバー部品２００は、中間ハウジング部品３００にヒンジ接続される。
【００５０】
下部カバー部品２００の内部側２０２において、第１の下部接続クランプ２２１、第２の下部接続クランプ２２２、第３の下部接続クランプ２３２、及び第４の下部接続クランプ２２４として設計される４つのさらなる接続クランプ２０が配置される。
【００５１】
図１０は、接続クランプ２０の斜視図を示す。上部カバー部品１００の内部側１０２の上部接続クランプ１２１，１２２，１２３，１２４（図８）及び下部カバー部品２００の内部側２０２の下部接続クランプ２２１，２２２，２２３，２２４（図９）は、全て、図１０の接続クランプ２０のように作られる。接続クランプ２０は、導電性材料を有する。例えば、接続クランプ２０は、金属板から製造することができる。接続クランプ２０は、スロットが形成され、且つ二回Ｓ形状に折り曲げられる。接続クランプ２０の中間エリアでは、ブレード部２１が、平行に延在する、スロットが形成されたブレードクランプ２０の二つのバーの間に作られ、前記ブレード部は、コアのワイヤと電気的に接触するためにケーブルのコアのコア絶縁体を切断するように意図されている。接続クランプ２０の一方の長手方向端には、ケーブルのコアを切断するように意図されるブレード部２２が作られる。
【００５２】
図１１は、電気コネクタ１０の斜視図を示す。図１２は、電気コネクタ１０の中間ハウジング部品３００の拡大図を示す。これらの両図において、電気コネクタ１０の上部カバー部品１００は、開放位置１０５にある。同時に、電気コネクタ１０の下部カバー部品２００は、開放位置２０５にある。開放位置１０５において、上部カバー部品１００は、上部カバー部品１００のケーブル側１０４が中間ハウジング部品３００から離間するように、中間ハウジング部品２００に関して上部ジョイント１１０回りに旋回する。下部カバー部品２００は、下部カバー部品２００のケーブル側２０４が中間ハウジング部品３００から離間するように中間ハウジング部品３００に関して下部ジョイント２１０回りに開放位置２０６において旋回する。
【００５３】
上部カバー部品１００の開放位置１０５において、ケーブルの４つのコアは、第１の電気絶縁要素４０１のコアガイド４１０，４２０，４３０，４４０内に配置される。このために、コアの長手方向端は、電気コネクタ１０のケーブル側１４からコア開口４１１，４２１，４３１，４４１内に差し込まれる。次に、上部カバー部品１００は、コアガイド４１０，４２０，４３０，４４０内に配置されたコアを電気コネクタ１０に電気的に接続するように開放位置１０５から閉鎖位置１０６内へ移動することができる。
【００５４】
下部カバー部品２００の開放位置２０５において、ケーブルのさらに４つのコアは、それらのコアを電気コネクタ１０のケーブル側１４からコア開口４１１，４２１，４３１，４４１内へ挿入することによって第２の電気絶縁要素４０２のコアガイド４１０，４２０，４３０，４４０内に配置することができる。次に、下部カバー部品２００は、第２の電気絶縁要素４０２のコアガイド４１０，４２０，４３０，４４０内に配置されたコアを導電的に電気コネクタ１０に接続するように開放位置２０５から閉鎖位置２０６内に旋回することができる。
【００５５】
上部カバー部品１００を、開放位置１０５から閉鎖位置１０６へ移動すると、上部カバー部品１００の内部側１０２に配置された接続クランプ１２１，１２２，１２３，１２４は、第１の電気絶縁要素４０１のコアガイド４１０，４２０，４３０，４４０と係合し、第１の上部接続クランプ１２１の切断部２１が第１の接続クランプポケット４１２内に受容されると共に第１の上部接続クランプ１２１のブレード部２２が第１のブレードポケット４１３内に受容される。従って、さらなる上部接続クランプ１２２，１２３，１２４の切断部２１とブレード部２２は、第１の電気絶縁要素４０１のさらなる切断クランプポケット４２２，４３２，４４２とブレードポケット４２３，４３３，４４３内に受容される。下部カバー部品２００を開放位置２０５から閉鎖位置２０６へ移動すると、それに応じて、下部カバー部品２００の内部側２０２に配置された下部接続クランプ２２１，２２２，２２３，２２４は、第２の電気絶縁要素４０２のコアガイド４１０，４２０，４３０，４４０と係合し、下部接続クランプ２２１，２２２，２２３，２２４の切断部２１が第２の電気絶縁要素４０２の切断クランプポケット４１２，４２２，４３２，４４２内に受容され且つ下部接続クランプ２２１，２２２，２２３，２２４のブレード部２２が第２の電気絶縁要素４０２のブレードポケット４１３，４２３，４３３，４４３内に受容される。
【００５６】
図１３は、上部カバー部品１００と下部カバー部品２００の閉鎖の後の電気コネクタ１０の斜めから見た部分的に開放している図を示す。図１３の図において、上部カバー部品１００、下部カバー部品２００、及び中間ハウジング部品３００の幾つかの部品は、電気コネクタ１０の内部部品を見ることができるために表示されていない。図１４は、電気コネクタ１０の中間部分の拡大図を示す。
【００５７】
図１３と図１４は、ケーブル側１４から電気コネクタ１０へ送られるケーブル７００を示す。例えば、ケーブル７００は、電気データ信号を伝送するためのケーブルである。例えば、ケーブル７００は、ＣＡＴ６Ａ標準に従うケーブルであり得る。このケーブル７００は、第１のコア７１１、第２のコア７１２、第３のコア７１３、第４のコア７１４、第５のコア７１５、第６のコア７１６、第７のコア７１７、及び第８のコア７１８として指定される複数のコア７１０を有する。前記コア７１０の各々は、コア絶縁体によって囲まれる導電性ワイヤを有する。ケーブル７００の前記コア７１０の各々はケーブル７００のシールド７２０によって一緒に包まれている。シールド７２０は、導電性材料を有し、例えば、組紐として作られてもよい。一方、シールド７２０は、電気絶縁シース７３０によって包まれることができる。
【００５８】
コア７１１〜７１８は、コア７１１〜７１８の間に配置された星形絶縁片によって対状に離間することができる。前記星形絶縁片は、図１３及び図１４に表されていない。
【００５９】
電気コネクタ１０に向くケーブル７００の長手方向端で、シース７３０とシールド７２０は、第１の長手方向部分で、ケーブル７００のコア７１０が露出され且つ第２の長手方向部分で、ケーブル７００のシールド７２０が露出されるように、部分的に除去されている。電気コネクタ１０のシールドクランプ１３０の外部摩擦スプリング１３２は、ケーブル７００のシース７３０を弾性的に押圧し、それによって、ケーブル７００を電気コネクタ１０に固定し、ケーブル７００に対する張力緩和を行う。ケーブル７００のシールド７２０が露出されるケーブル７００の部分において、電気コネクタ１０のシールドクランプ１３０の内部摩擦スプリング１３１は、ケーブル７００のシールド７２０を弾性的に押圧する。それによって、導電接続部がシールド７２０とシールドクランプ１３０との間に存在する。
【００６０】
第１の電気絶縁要素４０１の第１のコアガイド４１０内に案内されたケーブル７００の第１のコア７１１は、上部カバー部品１００の内部側１０２に配置された第１の上部接続クランプ１２１によって導電的に接触され、且つ第１の上部接続クランプ１２１を介して第１の電気絶縁要素４０１の第１のコンタクトスプリング３１に導電的に接続される。第１のコンタクトスプリング３１を介して、第１のコア７１１は、次に、回路基板６００の頂部側６０１上の第１のトラックに接続される。回路基板６００の頂部側６０１上の前記トラックを介して、第１のコア７１１は、電気コネクタ１０の差し込み側１３の接続部品５００において電気コネクタ１０のコンタクト要素に導電的に接続される。
【００６１】
上部カバー部品１００が開放位置１０５にあったとき、ケーブル７００の第１のコア７１１は、第１の電気絶縁要素４０１の第１のコアガイド４１０内に配置された、従って、第１の電気絶縁要素４０１の第１のコア開口４１１内に差し込まれた。上部カバー部品１００が開放位置１０５から閉鎖位置１０６へ旋回されると、第１の上部接続クランプ１２１のブレード部２２は、第１の電気絶縁要素４０１の第１のブレードポケット４１３内に貫通し、且つ第１のブレードポケット４１３のエリア内で第１のコア７１１を切断した。同時に、第１の上部接続クランプ１２１の切断部２１は、第１の電気絶縁要素４０１の第１の接続クランプポケット４１２内に貫通し且つ第１の接続クランプポケット４１２のエリア内で第１のコア７１１と電気的に接触した。さらに、上部カバー部品１００が開放位置１０５から閉鎖位置１０６へ旋回すると、第１の上部接続クランプ１２１は、第１の電気絶縁要素４０１の第１の接続クランプポケット４１２内で第１のコンタクトスプリング３１と接触し、そこで、回路基板６００の頂部側６０１上の第１のトラックに対して第１のコンタクトスプリング３１を押し付ける。
【００６２】
有利なことに、第１の上部接続クランプ１２１のブレード部２２によって第１のコア７１１が切断されるため、第１のコア７１１は、第１の上部接続クランプ１２１による接触に非常に良好に適合される長さを有する。第１の上部接続クランプ１２１と第１のコンタクトスプリング３１が別個の部品として作られているので、有利なことに、第１の上部接続クランプ１２１は、高い材料厚を有する堅牢な構成を有することができると共に有利なことに、第１のコンタクトスプリング３１はより薄い材料厚の単純な弾性変形可能形状を有することができる。さらに、上部接続クランプ１２１と第１のコンタクトスプリング３１が協働することによって、上部接続クランプ１２１と第１のコンタクトスプリング３１は、夫々、より短い全長を有するように設計することができ、それによって、それらは、有利な高周波伝送特性を有することができる。
【００６３】
ケーブル７００の第１のコア７１１と同様に、ケーブル７００の第２のコア７１２は、切断され且つ第２の上部接続クランプ１２１によって電気的に接触された。第１の電気絶縁要素４０１の第２の上部接続クランプ１２２と第２のコンタクトスプリング３２を介して、第２のコア７１２は、回路基板６００の頂部側６０１上の第２のトラックと導電接続状態にある。ケーブル７００の第３のコア７１３は、第３の上部接続クランプ１２３を越えて突出し且つ第１の電気絶縁要素４０１の第３のコンタクトスプリング３３は、回路基板６００の頂部側６０１上の第３のトラックと導電接続状態にある。第１の電気絶縁要素４０１の第４の上部接続クランプ１２４と第４のコンタクトスプリング３４を介して、第４のコア７１４は回路基板６００の頂部側６０１上の第４のトラックと導電接続状態にある。
【００６４】
ケーブル７００の第５のコア７１５、第６のコア７１６、第７のコア７１７、及び第８のコア７１８は、第２の電気絶縁要素４０２のコアガイド４１０，４２０，４３０，４４０内に電気コネクタ１０の下部カバー部品２００を開放位置２０５から閉鎖位置２０６に移動することに先立って、配置され、且つ下部カバー部品２００の下部接続クランプ２２１，２２２，２２３，２２４を介して下部カバー部品２００を閉鎖すると、ある長さに切断されて電気的に接触される。下部カバー部品２００の閉鎖位置２０６において、下部接続クランプ２２１，２２２，２２３，２２４は、第２の電気絶縁要素４０２の夫々の関連するコンタクトスプリング３０と導電接続状態にあり、回路基板６００の底部側６０２上に配置されたトラック上にそれらを電気的に押し付ける。例えば、ケーブル７００の第８のコア７１８は第４の下部接続クランプ２２４によって電気的に接触される。第４の下部接続クランプ２２４は、第２の電気絶縁要素４０２の第８のコンタクトスプリング３８を回路基板６００の底部側６０２上の第８のトラックに対して押し付ける。
【００６５】
電気コネクタ１０の一つの利点は、電気コネクタ１０との接続に先立って、ケーブル７００のコア７１０を正確に寸法決めされた長さに短くする必要がないことである。代わりに、ケーブル７００のコア７１０は、第１の電気絶縁要素４０１と第２の電気絶縁要素４０２のコア開口４１１，４２１，４３１，４４１に単純に差し込まれる。上部カバー部品１００と下部カバー部品２００が閉鎖されると、コア７１０は、接続クランプ２０のブレード部２２によって適切な長さに自動的に短くされる。上部カバー部品１００と下部カバー部品２００が閉鎖されたとき、ケーブル７００のコア７１０の切断端は、上部カバー部品１００と下部カバー部品２００のジョイント側１０３，２０３で抜き取ることができる。
【００６６】
図１５は、ケーブル７００に接続された電気コネクタ１０の一区域の他の斜視図を示す。また、明瞭化のために、図１５の図において、上部カバー部品１００と下部カバー部品２００は部分的にのみ表されるに過ぎない。
【００６７】
電気コネクタ１０の上部カバー部品１００は、その閉鎖位置１０６にある。上部カバー部品１００の内部側１０２のシールドクランプ１３０の内部摩擦スプリング１３１は、ケーブル７００の露出されたシールド７２０に対して押し付けられる。このように、シールドクランプ１３０は、ケーブル７００のシールド７２０と導電接続状態にある。シールドクランプ１３０のコンタクトスタッド１３３は、中間ハウジング部品３００のコンタクトアンカー３１０に対して押し付けられる。それによって、導電接続部が電気コネクタ１０の中間ハウジング部品３００とシールドクランプ１３０との間に存在し、このように、導電接続部が中間ハウジング部品３００とケーブル７００のシールド７２０との間に存在する。電気コネクタ１０が適切な相手コネクタに差し込まれると、また、電気コネクタ１０の中間ハウジング部品３００と相手コネクタの適切なコンタクト表面との間に導電接続部がある。このように、ケーブル７００のシールド７２０の干渉パルスは、シールドクランプ１３３の内部摩擦スプリング１３１とコンタクトスタッド１３３及び中間ハウジング部品３００を介して相手コネクタに向かって消散される。このように、電気コネクタ１０は、ワイヤに関連する干渉に関して良好なＥＭＣ特性を有する。
【００６８】
図１６は、電気コネクタ１０の他の斜視図を示す。上部カバー部品１００は、開放位置１０５にある。下部カバー部品２００は、開放位置２０５にある。図１７は、下部カバー部品２００の開放位置２０５における電気コネクタ１０の下部カバー部品２００の内部側２０２の一部の拡大図を示す。
【００６９】
下部カバー部品２００の開放位置２０５において、電気コネクタ１０の底部側１２に配置された保持スプリング２３０は、下部カバー部品２００内に配置されたスロット２３４を通って延在する。保持スプリング２３０の第１の長手方向端２３１は、電気コネクタ１０の接続部品５００に締着される。保持スプリング２３０の第１の長手方向端２３１から開始して、初めに、保持スプリング２３０は、下部カバー部品２００の外部側２０１に沿って延在し、次に、下部カバー部品２００の外部側２０１から下部カバー部品２００の内部側２０２に貫通する。保持スプリング２３０の第２の長手方向端２３２は、下部カバー部品２００の内部側２０２と中間ハウジング部品３００との間に配置される。
【００７０】
保持スプリング２３０の第２の長手方向端２３２に、二つのスナップイン舌部２３３が作られる。下部カバー部品２００の内部側２０２に、二つのディテント２３５が作られる。下部カバー部品２００の開放位置２０５において、保持スプリング２３０の第２の長手方向端２３２のスナップイン舌部２３３は、下部カバー部品２００の内部側２０２のディテント２３５内にスナップ挿入される。それによって、下部カバー部品２００は、開放位置２０５に維持される。このように、ケーブル７００のコア７１０を電気コネクタ１０の電気絶縁要素４００のコアガイド４１０，４２０，４３０，４４０内に配置することが容易にされる。
【００７１】
開放位置２０５から閉鎖位置２０６内に下部カバー部品２００を移動するために、保持スプリング２３０のスナップイン舌部２３３は、下部カバー部品２００の内部側２０２のディテント２３５から難なく係合解除される。次に、下部カバー部品２００は、開放位置２０５から閉鎖位置２０６へ支障なく旋回することができる。
【００７２】
図１８と図１９は、さらなる電気コネクタ１０１０の斜視図を示す。電気コネクタ１０１０は、図１〜図１７の電気コネクタ１０との大きな重複する部分を有する。電気コネクタ１０の対応する部品と同一又は実質的に同一である電気コネクタ１０１０の部品は、電気コネクタ１０１０の図において、電気コネクタ１０の図におけるのと同じ参照記号が与えられ、以降では、詳細には再び記述はされない。以下において、電気コネクタ１０１０と電気コネクタ１０との間の差異のみが示される。
【００７３】
電気コネクタ１０１０は、上部カバー部品１００の代わりに、電気コネクタ１０１０が上部カバー部品１１００を有し、且つ下部カバー部品２００の代わりに、下部カバー部品１２００を有することにおいて、図１〜図１７の電気コネクタ１０とは異なっている。上部カバー部品１１００の内部側１０２には、電気コネクタ１０の上部カバー部品１００に関して、第１の上部接続クランプ１２１、第２の上部接続クランプ１２２、第３の上部接続クランプ１２３、及び第４の上部接続クランプ１２４が配置されている。電気コネクタ１０１０の下部カバー部品１２００の内部側２０２には、電気コネクタ１０の下部カバー部品２００に関して、第１の下部接続クランプ２２１、第２の下部接続クランプ２２２、第３の下部接続クランプ２２３、及び第４の下部接続クランプ２２４が配置されている。上部接続クランプ１２１，１２２，１２３，１２４及び下部接続クランプ２２１，２２２，２２３，２２４は、電気コネクタ１０に関して、ケーブルのコアを所定の長さに切断しそれらを電気的に接触するためのものである。
【００７４】
上部ジョイント１１１０によって、上部カバー部品１１００は、電気コネクタ１０１０の中間ハウジング部品３００にヒンジ接続される。上部ジョイント１１１０は、電気コネクタ１０１０の中間ハウジング部品３００の両側表面に配置される二つの旋回ピン１１１１を備える。旋回ピン１１１１は、上部カバー部品１１００に配置された二つの細長いスロット１１１２と係合する。このように、旋回ピン１１１１は、上部ジョイント１１１０の細長いスロット１１１２内で案内される。上部ジョイント１１１０は、電気コネクタ１０１０の中間ハウジング部品３００に対する上部カバー部品１１００の回転運動と並進運動、即ち、中間ハウジング部品３００に対する上部カバー部品１１００の旋回及び中間ハウジング部品３００に対する上部カバー部品１１００の直線運動を可能とする。図１８と図１９は、電気コネクタ１０１０の中間ハウジング部品３００に対する開放位置１１０５における上部カバー部品１１００を示している。
【００７５】
下部ジョイント１２１０によって、下部カバー部品１２００は、電気コネクタ１０１０の中間ハウジング部品３００に接続される。下部ジョイント１２１０は、電気コネクタ１０１０の中間ハウジング部品３００の両側面に配置された二つの旋回ピン１２１１を備える。さらに、下部ジョイント１２１０は、下部カバー部品１２００に配置された二つの細長いスロット１２１２を含む。下部ジョイント１２１０の旋回ピン１２１１は、下部ジョイント１２１０の細長いスロット１２１２内で案内される。下部ジョイント１２１０は、電気コネクタ１０１０の中間ハウジング部品３００に対する下部カバー部品１２００の回転運動と並進運動を可能とする。このように、下部ジョイント１２１０は、電気コネクタ１０１０の下部カバー部品１２００が中間ハウジング部品３００に対して旋回すること及び中間ハウジング部品３００に対して直線運動で下部カバー部品１２００を移動することを可能とする。図１８及び図１９の図において、下部カバー部品１２００は、開放位置１２０５にある。
【００７６】
電気コネクタ１０１０の上部カバー部品１１００の開放位置１１０５及び電気コネクタ１０１０の下部カバー部品１２００の開放位置１２０５において、ケーブルのコアは、電気コネクタ１０を参照して説明されたように、電気コネクタ１０１０の第１の電気絶縁要素４０１と第２の電気絶縁要素４０２のコアガイド４１０，４２０，４３０，４４０内に配置することができる。
【００７７】
引き続いて、電気コネクタ１０１０の上部カバー部品１１００と下部カバー部品１２００は、電気コネクタ１０１０の中間ハウジング部品３００に対して旋回することによって閉鎖することができる。上部カバー部品１１００と下部カバー部品１２００は、よって、互いに対して逆方向に回転して旋回される。上部カバー部品１１００は、上部ジョイント１１１０の旋回ピン１１１１によって形成された回転軸回りに旋回される。下部カバー部品１２００は、下部ジョイント１２１０の旋回ピン１２１１によって形成された回転軸回りに旋回される。図２０は、上部カバー部品１１００と下部カバー部品１２００が閉鎖されたときの電気コネクタ１０１０を示す。上部カバー部品１１００は、閉鎖位置１１０６にある。下部カバー部品１２００は、閉鎖位置１２０６にある。
【００７８】
電気コネクタ１０１０の上部カバー部品１１００は、上部ジョイント１１１０の旋回ピン１１１１によって形成された回転軸に関して細長いスロット１１１２を通って移動することができる。このように、上部カバー部品１１００の回転運動の回転軸の位置は、可変である。従って、下部カバー部品１２００に対する下部カバー部品１２００の回転運動の下部ジョイント１２１０の旋回ピン１２１１によって形成された回転軸の位置もまた可変である。それによって、有利なことに、電気コネクタ１０１０の上部カバー部品１１００と下部カバー部品１２００の位置は、電気コネクタ１０１０に接続されるべきケーブルの直径に適合させることができる。
【００７９】
図２０に表された上部カバー部品１１００の閉鎖位置１１０６と下部カバー部品１２００の閉鎖位置１２０６、上部カバー部品１１００及び下部カバー部品１２００は、電気コネクタ１０１０の中間ハウジング部品３００に平行に向けられる。しかしながら、上部カバー部品１１００の上部接続クランプ１２１，１２２，１２３，１２４及び下部カバー部品１２００の下部接続クランプ２２１，２２２，２２３，２２４は、電気コネクタ１０１０の電気絶縁要素４０１，４０２のコアガイド４１０，４２０，４３０，４４０内に配置されたコアをまだ切断せず、それらに電気的に接触していない。
【００８０】
ケーブルのコアの切断と接触は、中間ハウジング部品３００の方向への上部カバー部品１１００の直線運動及び中間ハウジング部品３００の方向への下部カバー部品１２００の同時の直線運動による引き続く取付けステップにおいてなされる。上部カバー部品１１００と下部カバー部品１２００の直線運動は、互いに対する逆方向への向きである。このように、電気コネクタ１０１０の上部カバー部品１１００と下部カバー部品１２００は、また、上部カバー部品１１００と下部カバー部品１２００の直線運動によって互いに向かって移動することができる。
【００８１】
中間ハウジング部品３００の方向への上部カバー部品１１００の直線運動中に、上部ジョイント１１１０の旋回ピン１１１１は、上部ジョイント１１１０の細長いスロット１１１２内で直線状に移動する。従って、中間ハウジング部品３００の方向への下部カバー部品１２００の直線運動中に、下部ジョイント１２１０の旋回ピン１２１１は、下部ジョイント１２１０の細長いスロット１２１２内で直線状に変位する。
【００８２】
中間ハウジング部品３００の方向への上部カバー部品１１００の直線運動中に、上部カバー部品１１００の内部側１０２の四つの上部接続クランプ１２１，１２２，１２３，１２４は、電気コネクタ１０１０の第１の電気絶縁要素４０１のコアガイド４１０，４２０，４３０，４４０内に配置されたケーブルの四つのコアを実質的に全て同時に切断し、実質的に全て同時にコアと電気的に接触する。従って、下部カバー部品１２００の内部側２０２に配置された下部カバー部品１２００の下部接続クランプ２２１，２２２，２２３，２２４は、中間ハウジング部品３００の方向への下部カバー部品１２００の直線移動中に、電気コネクタ１０１０の第２の電気絶縁要素４０２のコアガイド４１０，４２０，４３０，４４０内に配置されたケーブルのコアを実質的に全て同時に切断し、実質的に全て同時に前記コアと電気的に接触する。
【００８３】
中間ハウジング部３００の方向への電気コネクタ１０１０の上部カバー部品１１００の直線運動によって、上部カバー部品１１００は、閉鎖位置１１０６からインターロック位置１１０７へ移行する。従って、中間ハウジング部品３００の方向への下部カバー部品１２００の直線運動中に、下部カバー部品１２００は、閉鎖位置１２０６からインターロック位置１２０７へ移行する。図２１は、上部カバー部品１１００がインターロック位置１１０７にあり且つ下部カバー部品１２００がインターロック位置１２０７にある電気コネクタ１０１０の図を示す。
【００８４】
図１８において、第１の側壁に、上部カバー部品１１１０は、二つのスナップインフック１１２０を有し、第１の側壁とは反対側の第２の側壁に、二つのスナップイン舌部１１２１を有する。下部カバー部品１２００の第１の側壁に、下部カバー部品１２００は、二つのスナップイン舌部１２２０を有し、下部カバー部品１２００の第１の側壁の反対側の第２の側壁に、二つのスナップインフック１２２１を有する。
【００８５】
カバー部品１１００，１２００が閉鎖位置１１０６，１２０６からインターロック位置１１０７，１２０７へ移行する、上部カバー部品１１００と下部カバー部品１２００の直線運動中に、上部カバー部品１１００と下部カバー部品１２００の側壁は、平行に、互いを通過して移動する。この場合、下部カバー部品１２００の第２の側壁は、中間ハウジング部品３００と上部カバー部品１１００の第２の側壁との間で案内される。上部カバー部品１１００の第１の側壁は、下部カバー部品１２００の第１の側壁と中間ハウジング部品３００との間で案内される。
【００８６】
図２１に表される上部カバー部品１１００と下部カバー部品１２００のインターロック位置１１０７，１２０７において、上部カバー部品１１００の第１の側壁のスナップインフック１１２０は、下部カバー部品１２００の第１の側壁のスナップイン舌部１２２０にスナップインする。下部カバー部品１２００の第２の側壁のスナップインフック１２２１は、上部カバー部品１１００の第２の側壁のスナップイン舌部１１２１にスナップインする。
【００８７】
スナップインフック１１２０，１２２１をスナップイン舌部１１２１，１２２０とインターロックすることによって、上部カバー部品１１００と下部カバー部品１２００は、インターロック位置１１０７，１２０７に固定される。それによって、インターロック位置１１０７，１２０７から閉鎖位置１１０６，１２０６へ戻るカバー部品１１００，１２００の意図しない移動が防止される。さらに、スナップイン舌部１１２１，１２２０のスナップインフック１１２０，１２２１がインターロックすることは、上部カバー部品１１００と下部カバー部品１２００が、それらのインターロック位置１１０７，１２０７に達したこと、及び電気コネクタ１０１０に接続されたケーブルコアが確実に電気的に接触されたことを指す。
【００８８】
しかしながら、スナップインフック１１２０，１２２１及びスナップイン舌部１１２１，１２２０を設けることは、省略することができる。上部カバー部品１１００と下部カバー部品１２００のインターロック位置１１０７，１２０７において、電気コネクタ１０１０を介して接触されたケーブルのコアは、上部カバー部品１１００の上部接続クランプ１２１，１２２，１２３，１２４及び下部カバー部品１２００の下部接続クランプ２２１，２２２，２２３，２２４においてクランプされる。それによって、上部カバー部品１１００と下部カバー部品１２００は、スナップインフック１１２０，１２２１とスナップイン舌部１１２１，１２２０のインターロック無しでも、インターロック位置１１０７，１２０７に確実に保持される。
【００８９】
スナップインフック１１２０，１２２１及びスナップイン舌部１１２１，１２２０の設置を省略する場合、上部カバー部品１１００及び下部カバー部品１２００は、カバー部品１１００，１２００が閉鎖位置１１０６，１２０６からインターロック位置１１０７，１２０７に移行する、上部カバー部品１１００と下部カバー部品１２００の直線移動中に、上部カバー部品１１００及び下部カバー部品１２００の側壁が、互いを通過するように案内されないように整形することができる。代わりに、上部カバー部品１１００及び下部カバー部品１２００の側壁は、そうすると、インターロック位置１１０７，１２０７で当接状態に位置するじか、又は両者は幾分離間している。
【００９０】
図２２は、電気コネクタ１０１０の一部の拡大された斜視図を示す。図２２の図において、電気コネクタ１０１０の上部カバー部品１１００及び下部カバー部品１２００は、閉鎖位置１１０６，１２０６にある。図２３は、電気コネクタ１０１０の一部の他の斜視図を示す。図２３の図において、電気コネクタ１０１０の上部カバー部品１１００及び下部カバー部品１２００は、それらのインターロック位置１１０７，１２０７にある。
【００９１】
図２２及び図２３の図において、上部カバー部品１１００に配置された上部ジョイント１１１０の細長いスロット１１１２と下部カバー部品１２００に配置された下部ジョイント１２１０の細長いスロット１２１２は、図１８〜図２１の図におけるものとは僅かに異なるように作られる。しかしながら、上部ジョイント１１１０と下部ジョイント１２１０の機能は、両選択肢において同じである。上部ジョイント１１１０は、上部カバー部品１１００の旋回運動を可能とし、上部カバー部品１１００は、電気コネクタ１０１０の中間ハウジング部品３００に対して上部ジョイント１１１０の旋回ピン１１１１回りに回転し、それによって、上部カバー部品１１００は、開放位置１１０５と閉鎖位置１１０６との間で旋回することができる。そうすると、上部ジョイント１１１０の細長いスロット１１１２は、上部カバー部品１１００に対する回転軸の変位を可能とする。さらに、上部ジョイント１１１０は、電気コネクタ１０１０の中間ハウジング部品３００に対する上部カバー部品１１００の直線運動を可能とし、上部ジョイント１１１０の旋回ピン１１１１が上部カバー部品１１００の細長いスロット１１１２内で直線的に変位し、それによって、上部カバー部品１１００は、閉鎖位置１１０６からインターロック位置１１０７へ移行することができる。従って、下部ジョイント１２１０は、下部カバー部品１２００に対して変位することができる回転軸回りに電気コネクタ１０１０の中間ハウジング部品３００に対する下部カバー部品１２００の回転運動を可能とする。この回転運動によって、下部カバー部品１２００は、開放位置１２０５と閉鎖位置１２０６との間で旋回することができる。さらに、下部ジョイント１２１０は、電気コネクタ１０１０の中間ハウジング部品３００に対する下部カバー部品１２００の直線運動を可能とし、それによって、下部カバー部品１２００は、閉鎖位置１２０６からインターロック位置１２０７へ移行することができる。
【００９２】
図２２は、二つの両側面に、夫々、電気コネクタ１０１０の中間ハウジング部品３００が一つのノブ１３２０を有することを示す。ノブ１３２０は、電気コネクタ１０１０の頂部側１１と底部側１２との間の略中心にある。これらのノブ１３２０は、例えば、打ち抜き成形品として作ることができる。
【００９３】
上部カバー部品１１００と下部カバー部品１２００がそれらの閉鎖位置１１０６，１２０６からインターロック位置１１０７，１２０７へ移動する、電気コネクタ１０１０の上部カバー部品１１００と下部カバー部品１２００の直線運動中に、上部カバー部品１１００と下部カバー部品１２００の側壁は、中間ハウジング部品３００のノブ１３２０を介して案内され、それらのノブ１３２０によってクランプされる。上部カバー部品１１００と下部カバー部品１２００のインターロック位置１１０７，１２０７における電気コネクタ１０１０の中間ハウジング部品３００のノブにおいて上部カバー部品１１００と下部カバー部品１２００の側壁のクランプは、インターロック位置１１０７，１２０７から閉鎖位置１１０６，１２０６へ戻るカバー部品１１００，１２００の意図しない移動を防止する。さらに、インターロック位置１１０７，１２０７において、中間ハウジング部品３００のノブ１３２０は、上部カバー部品１１００と下部カバー部品１２００のカバー部品１１００，１２００を電気的に互いに接続する。それによって、カバー部品１１００，１２００のインターロック位置１１０７，１２０７において、上部カバー部品１１００と下部カバー部品１２００は、電気コネクタ１０１０の閉鎖シールドを形成する。
【００９４】
参照符号リスト
１０    電気コネクタ
１１    頂部側
１２    底部側
１３    差し込み側
１４    ケーブル側
２０    接続クランプ
２１    切断部
２２    ブレード部
３０    コンタクトスプリング
３１    第１のコンタクトスプリング
３２    第２のコンタクトスプリング
３３    第３のコンタクトスプリング
３４    第４のコンタクトスプリング
３８    第８のコンタクトスプリング
１００  上部カバー部品
１０１  外部側
１０２  内部側
１０３  ジョイント側
１０４  ケーブル側
１０５  開放位置
１０６  閉鎖位置
１１０  上部ジョイント
１１１  旋回ピン
１１２  ナックルアイ
１２１  第１の上部接続クランプ
１２２  第２の上部接続クランプ
１２３  第３の上部接続クランプ
１２４  第４の上部接続クランプ
１３０  シールドクランプ
１３１  内部摩擦スプリング
１３２  外部摩擦スプリング
１３３  コンタクトスタッド
２００  下部カバー部品
２０１  外部側
２０２  内部側
２０３  ジョイント側
２０４  ケーブル側
２０５  開放位置
２０６  閉鎖位置
２１０  下部ジョイント
２１１  旋回ピン
２１２  ナックルアイ
２２１  第１の下部接続クランプ
２２２  第２の下部接続クランプ
２２３  第３の下部接続クランプ
２２４  第４の下部接続クランプ
２３０  保持スプリング
２３１  第１の長手方向端
２３２  第２の長手方向端
２３３  スナップイン舌部
２３４  スロット
２３５  スナップインノーズ
３００  中間ハウジング部品
３１０  コンタクトアンカー
４００  電気絶縁要素
４０１  第１の電気絶縁要素
４０２  第２の電気絶縁要素
４０３  外部側
４０４  内部側
４１０  第１のコアガイド
４１１  第１のコア開口
４１２  第１の接続クランプポケット
４１３  第１のブレードポケット
４２０  第２のコアガイド
４２１  第２のコア開口
４２２  第２の接続クランプポケット
４２３  第２のブレードポケット
４３０  第３のコアガイド
４３１  第３のコア開口
４３２  第３の接続クランプポケット
４３３  第３のブレードポケット
４４０  第４のコアガイド
４４１  第４のコア開口
４４２  第４の接続クランプポケット
４４３  第４のブレードポケット
５００  接続部品
６００  回路基板
６０１  上部側
６０２  底部側
７００  ケーブル
７１０  コア
７１１  第１のコア
７１２  第２のコア
７１３  第３のコア
７１４  第４のコア
７１５  第５のコア
７１６  第６のコア
７１７  第７のコア
７１８  第８のコア
７２０  シールド
７３０  シース
１０１０    電気コネクタ
１１００    上部カバー部品
１１０５    開放位置
１１０６    閉鎖位置
１１０７    インターロック位置
１１１０    上部ジョイント
１１１１    旋回ピン
１１１２    細長いスロット
１１２０    スナップインフック
１１２１    スナップイン舌部
１２００    下部カバー部品
１２０５    開放位置
１２０６    閉鎖位置
１２０７    インターロック位置
１２１０    下部ジョイント
１２１１    旋回ピン
１２１２    細長いスロット
１２２０    スナップイン舌部
１２２１    スナップインフック
１３２０    ノブ
【図１】
0006302543.tif 000002
【図２】
0006302543.tif 000003
【図３】
0006302543.tif 000004
【図４】
0006302543.tif 000005
【図５】
0006302543.tif 000006
【図６】
0006302543.tif 000007
【図７】
0006302543.tif 000008
【図８】
0006302543.tif 000009
【図９】
0006302543.tif 000010
【図１０】
0006302543.tif 000011
【図１１】
0006302543.tif 000012
【図１２】
0006302543.tif 000013
【図１３】
0006302543.tif 000014
【図１４】
0006302543.tif 000015
【図１５】
0006302543.tif 000016
【図１６】
0006302543.tif 000017
【図１７】
0006302543.tif 000018
【図１８】
0006302543.tif 000019
【図１９】
0006302543.tif 000020
【図２０】
0006302543.tif 000021
【図２１】
0006302543.tif 000022
【図２２】
0006302543.tif 000023
【図２３】
0006302543.tif 000024